(57)【特許請求の範囲】
【請求項１】
複数のカメラ部と前記カメラ部からの入力信号を処理し映像信号を出力する映像処理部とを備え、前記複数のカメラ部と前記映像処理部とを信号ケーブルにより接続する映像入力装置において、
前記映像処理部は、
複数の前記カメラ部と前記信号ケーブルを介して接続する複数のポートと、
前記複数のポートから入力される前記カメラ部からの入力信号を処理する映像処理手段と、
前記複数のポートを切り換える切換え手段と、
外部装置からの性能属性取得要求を受信した場合、前記複数のポートに接続されている各カメラに記憶されている性能属性を、前記各カメラ部から前記信号ケーブルを介して読み出すことにより検出する検出手段と、
前記複数のポートの接続状態とともに、前記検出手段により検出した前記複数のポートに接続される各カメラの性能属性を記憶する記憶手段と、
前記外部装置からポート切り換え要求を受信した場合、前記外部装置から要求されたポートへと前記切換え手段の出力先を切り換えさせ、前記記憶手段に記憶されている、前記要求されたポートに対応するカメラ部の性能属性を読み出し、読み出した前記性能属性に対応した映像処理パラメータの設定を前記映像処理手段に対して行う制御手段とを備えたことを特徴とする映像入力装置。
【請求項２】
前記記憶手段に記憶した前記複数のポートに接続される各カメラの性能属性を前記外部装置に対して送信する送信手段をさらに有することを特徴とする請求項１に記載の映像入力装置。
【請求項３】
前記性能属性は、カメラのレンズ種別及び撮像素子の画素数の少なくとも１つを含むことを特徴とする請求項１または２に記載の映像入力装置。
【請求項４】
複数のカメラ部と映像処理部とを信号ケーブルにより接続し、前記映像処理部が、前記複数のカメラ部と前記信号ケーブルを介して接続する複数のポートと、前記複数のポートから入力される前記カメラ部からの入力信号を処理する映像処理手段とを備える映像入力装置の設定方法であって、
外部装置からの性能属性取得要求を受信した場合、前記複数のポートに接続されている各カメラに記憶されている性能属性を、前記各カメラ部から前記信号ケーブルを介して読み出すことにより検出し、前記複数のポートの接続状態とともに、検出した前記複数のポートに接続される各カメラの性能属性を記憶手段に記憶する記憶工程と、
前記外部装置からポート切り換え要求を受信した場合、前記外部装置から要求されたポートへと出力先を切り換え、前記記憶手段に記憶されている、前記要求されたポートに対応するカメラ部の性能属性を読み出し、読み出した前記性能属性に対応した映像処理パラメータの設定を前記映像処理手段に対して行う制御工程とを備えたことを特徴とする映像入力装置の設定方法。
【請求項５】
前記記憶手段に記憶した前記複数のポートに接続される各カメラの性能属性を前記外部装置に対して送信する送信工程をさらに有することを特徴とする請求項４に記載の映像入力装置の設定方法。
【請求項６】
前記性能属性は、カメラのレンズ種別及び撮像素子の画素数の少なくとも１つを含むことを特徴とする請求項４または５に記載の映像入力装置の設定方法。
【発明の詳細な説明】
【０００１】
【発明の属する技術分野】
本発明は、複数のカメラ部を脱着可能な映像入力装置及び映像入力装置の設定方法の技術分野に属するものである。
【０００２】
【従来の技術】
図１１は、映像入力装置の従来例の構成を示すブロック図である。
【０００３】
カメラ部分１００と映像処理部２００はケーブル１０９で接続される。映像処理部２００はバスｉ／ｆ２０８により、ホスト端末４００と接続される。ホスト端末４００からバスｉ／ｆ２０８を経由して映像処理部２００及びカメラ部分１００の制御を行う。
【０００４】
１４０は単焦点の２０万画素ＣＣＤカメラ、１５０はズーム焦点の４０万画素ＣＣＤカメラである。
【０００５】
まず、単焦点カメラ部１４０の構成について説明する。
【０００６】
１０６はシステム制御部で、ＣＰＵ、ＲＯＭ、ＲＡＭ、制御ポート、通信ポート等の機能を有するワンチップマイコンからなる。システム制御部１０６はカメラ部分１００の各デバイスを制御し、映像処理部２００と双方向通信を行う。１０１は、撮像レンズ、フォーカスレンズ、フォーカスレンズを手動で動かすためのフォーカスリングを備えたレンズ部である。１０２はレンズ部１０１を通過する入射光量を調整するアイリスユニットで、アイリス及びアイリスを手動で動かすためのアイリスリングを備える。１０３はレンズ部１０１及びアイリス１０２を経由した映像を光電変換し電気信号に変換するＣＣＤ等の撮像素子であり、２０万画素の映像素子を有する。１０５は撮像素子１０３の画素数に応じて蓄積動作、読み出し動作、リセット動作を制御するＴＧ等の撮像素子駆動回路である。制御信号１１０経由でシステム制御部１０６から制御することによりシャッタースピードを変えることができる。
【０００７】
１０８はＳＳＧ等の同期信号発生回路であり、ＴＧ（１０５）のクロックから水平同期信号（ＨＤ）、垂直同期信号（ＶＤ）、映像クロック等の映像同期信号１１２を発生する。１０４は撮像素子１０３の蓄積電化のノイズを低減するためにサンプリングホールドを行うと共に、映像信号のゲインを調整するＳ／Ｈ・ＡＧＣ回路であり、映像信号１１４を出力する。制御信号１１１経由でシステム制御部１０６から制御することにより撮像信号１１４のゲイン調整をする。１１３はカメラ部分１００と映像処理部２００との間で双方向データ通信を行うデータ線及びデータ制御線であり、システム制御部１０６のシリアル通信ポートに接続されている。１０７はコネクタで、ケーブル１０９からの脱着が可能である。
【０００８】
次に、カメラ部１５０の構成について説明する。カメラ部１４０との差異はズームレンズ１２１、アイリス１２２、撮像素子１２３であり、他の部分はカメラ部１４０と同様なので説明を省略する。
【０００９】
ズームレンズ１２１は、撮像レンズ、フォーカスレンズ、フォーカスリングを動かすためのズームモータ、ズームレンズ、ズームリングを動かすためのズームモータを備えたレンズ部である。システム制御部１０６から制御線１２４を介して制御することにより、電動ズーム及びオートフォーカスができる。
【００１０】
１２２はレンズ部１０１を通過する入射光量を調整するアイリスユニットで、アイリス及びアイリスリングを動かすためのアイリスモータを備える。システム制御部１０６から制御線１２５経由で制御を行うことにより、アイリスの開閉を制御する。システム制御部１０６はアイリス、シャッタースピード、ＡＧＣゲインを制御して、映像処理部２００から送信される被写体の明るさデータを一定に保つことにより自動露出を行うことができる。１２３はレンズ部１２１及びアイリス部１２２を経由した映像を光電変換し電気信号に変換するＣＣＤ等の撮像素子であり、４０万画素の撮像素子を有する。
【００１１】
映像処理部２００について説明する。
【００１２】
２５０はシステム制御部で、ＣＰＵ、ＲＯＭ、ＲＡＭ、制御ポート、通信ポート等の機能を有するワンチップマイコンからなる。システム制御部２５０は映像処理部２００の各デバイスの制御、オートホワイトバランス制御、カメラ部１４０、１５０との通信、バスｉ／ｆ２０８を介したホスト端末４００との通信を行う。またホスト端末からのコマンドを解釈しホストから要求された動作を行う。
【００１３】
２０１はカメラ部からケーブルを介して伝送された撮像信号２１７をデジタル信号２１８に変換するＡＤ変換回路である。２０２はデジタル変換された撮像信号２１８を規格化されたデジタル映像信号２１９に変換する処理を行う信号処理回路である。信号処理回路２０２は垂直同期信号の周期で、露出制御のために使用する被写体の明るさデータ、ホワイトバランス制御のためのホワイトバランスデータ、フォーカス制御のためのフォーカス焦合データを通知するための割り込み信号を発生しシステム制御部２５０に送信する。割り込みを認識したシステム制御部２５０はシリアルデータライン２２３を介してこれらの情報を読み出し、システム制御部２５０のＲＡＭエリアに書き込む。
【００１４】
２０４は規格化されたデジタル映像信号２１９を多重化したコンポジット信号２２１に変換するためのエンコーダ回路であり、２１０の映像出力コネクタにコンポジット信号２２１を出力する。２０６は信号処理回路２０２及びＳＲＣ２０７からのデジタル映像信号を蓄積する画像メモリである。２０５は画像メモリ２０６の読み出し・書き込みの制御を行うメモリコントローラ回路である。２０７は映像処理部２００のデジタル映像信号２１３とホスト端末のデジタル映像信号２１４の縦横比の違いを変換して吸収するスキャンレートコンバータ回路（ＳＲＣ）である。
【００１５】
２０３はエンコーダ２０４への出力２２５が、信号処理回路２０２のデジタル映像信号２１９か、画像メモリ２０６のデジタル映像信号２１６かを選択する切替回路であり、制御線２２４によりシステム制御部２５０により制御される。
【００１６】
２０８はホスト端末４００であるコンピュータのバスに接続されるバスｉ／ｆ回路であり、ホスト端末４００と映像処理部２００との間でデジタル映像信号２１４、制御データ２２６のデータ通信を行うとともに、ホスト端末４００からメモリコントローラ２０５、ＳＲＣ２０７の制御を行うｉ／ｆを提供する。
【００１７】
２１５はカメラ部分１００の映像同期信号１１２に対応する映像処理部２００の映像同期信号であり、信号処理回路２０２、メモリコントローラ２０５、エンコーダ２０４に映像同期信号を提供する。
【００１８】
２２２はカメラ部分１００と映像処理部２００との間で双方向データ通信を行うシリアルデータ線及びシリアルデータ制御線であり、システム制御部２５０のシリアルデータポートに接続されている。
【００１９】
２２６はホスト端末４００と映像処理部２００との間で双方向データ通信を行うパラレルデータ線及び制御線であり、システム制御線２５０の制御ポートに接続されている。
【００２０】
カメラ部を交換することによりユーザは、用途に応じたカメラヘッドを選択できる。カメラヘッドを交換する場合、カメラヘッドの種類に応じて信号処理回路２０２にパラメータを設定しなければならない。例えば単焦点カメラ部１４０の撮像素子１０３の画素数は２０万画素、ズームカメラ部１５０の撮像素子１２３の画素数は４０万画素ある。この場合、信号処理回路２０２をカメラ部１４０が接続された場合は２０万画素モードで、カメラ部１５０が接続された場合は４０万画素モードでそれぞれ信号処理回路２０２にパラメータを設定する初期化を行う。
【００２１】
【発明が解決しようとする課題】
ユーザがカメラ部を交換して撮影する場合、カメラ部を映像処理部に脱着しなければならず、手間がかかるという欠点がある。この手間を省くために、複数のカメラ部を映像処理部に接続したままにしておき、ユーザの必要に応じて画像信号を入力するカメラ部を切り換えて使用する構成が考えられる。しかしながら、その場合においても、切り換えたカメラ部の種類に応じて信号処理回路にパラメータ設定を行わなければならならず、ユーザの手間は必要となる。
【００２２】
本発明は、上記従来の問題点を解消するために成されたもので、ポート選択を行うことのみで選択されたポートのカメラ部に対応したパラメータを映像処理手段に対して自動設定できるので、カメラ部分の変更に起因する設定作業の手間を大幅に削減できる映像入力装置及び映像入力装置の設定方法の提供を目的とするものである。
【００２３】
【課題を解決するための手段】
本発明は、複数のカメラ部と前記カメラ部からの入力信号を処理し映像信号を出力する映像処理部とを備え、前記複数のカメラ部と前記映像処理部とを信号ケーブルにより接続する映像入力装置において、前記映像処理部は、複数の前記カメラ部と前記信号ケーブルを介して接続する複数のポートと、前記複数のポートから入力される前記カメラ部からの入力信号を処理する映像処理手段と、前記複数のポートを切り換える切換え手段と、外部装置からの性能属性取得要求を受信した場合、前記複数のポートに接続されている各カメラに記憶されている性能属性を、前記各カメラ部から前記信号ケーブルを介して読み出すことにより検出する検出手段と、前記複数のポートの接続状態とともに、前記検出手段により検出した前記複数のポートに接続される各カメラの性能属性を記憶する記憶手段と、前記外部装置からポート切り換え要求を受信した場合、前記外部装置から要求されたポートへと前記切換え手段の出力先を切り換えさせ、前記記憶手段に記憶されている、前記要求されたポートに対応するカメラ部の性能属性を読み出し、読み出した前記性能属性に対応した映像処理パラメータの設定を前記映像処理手段に対して行う制御手段とを備えたことを特徴とする映像入力装置によって、前記の目的を達成するものである。
また、本発明は、複数のカメラ部と映像処理部とを信号ケーブルにより接続し、前記映像処理部が、複数のカメラ部と前記信号ケーブルを介して接続する複数のポートと、前記複数のポートから入力される前記カメラ部からの入力信号を処理する映像処理手段とを備える映像入力装置の設定方法であって、外部装置からの性能属性取得要求を受信した場合、前記複数のポートに接続されている各カメラに記憶されている性能属性を、前記各カメラ部から前記信号ケーブルを介して読み出すことにより検出し、前記複数のポートの接続状態とともに、検出した前記複数のポートに接続される各カメラの性能属性を記憶手段に記憶する記憶工程と、前記外部装置からポート切り換え要求を受信した場合、前記外部装置から要求されたポートへと出力先を切り換え、前記記憶手段に記憶されている、前記要求されたポートに対応するカメラ部の性能属性を読み出し、読み出した前記性能属性に対応した映像処理パラメータの設定を前記映像処理手段に対して行う制御工程とを備えたことを特徴とする映像入力装置の設定方法によって、前記の目的を達成するものである。
【００２４】
【発明の実施の形態】
本発明は、カメラ部と映像処理部を信号ケーブルにより接続する映像入力装置において、複数のカメラ部の各々を映像処理部の複数のポートのどれかに接続して、前記複数のポートを切り換える切換え手段を備え、前記複数のポートに接続されている各カメラの属性を記憶手段に記憶させ、ポート切換により選定されたカメラの属性に対応した映像処理を制御手段により制御して行い、映像信号を出力する。
【００２５】
【実施例】
図１は、本発明の一実施例である映像入力装置の構成を示すブロック図である。前記従来例の図１１に示すブロックと同一または相当する部分は同一符号で示してあり、重複説明は省略し、従来例と異なる部分及び補足する部分について、以下説明する。
【００２６】
２３１はポート１（２３３）のコネクタ、２３２はポート２（２３４）のコネクタである。
【００２７】
２３０はカメラ切換えスイッチであり、システム制御部２５０から制御することにより、信号線２１５、２１７、２２２に接続する信号をポート（２３３）とポート２（２３４）により切り替える。
【００２８】
図２はシステム制御部２５０のブロック図である。システム制御部２５０はワンチップマイコン及びそれを制御するソフトウェアからなる。
【００２９】
２５１は内部バス、２５２はＣＰＵ、２５３はソフトウェアを格納するＲＯＭ、２５４はソフトウェアのワーク領域として使用するＲＡＭ、２５５は書き換え可能なＲＯＭ（ＥＥＰＲＯＭ）であり、制御に必要なデータが格納されている。２５６はタイマ部、２５７は各種デバイスを制御するためのＩ／Ｏ制御部である。
【００３０】
２５８は各カメラ部、ホスト端末４００とのコマンド通信を行うと共に、映像処理部２００の各デバイスとシリアル通信を行い、デバイスの制御を行うためのシリアル通信ポートである。
【００３１】
ホスト端末４００と映像処理部２００、カメラ部１４０，１５０の１つの間で通信される制御コマンドを図３に示す。
【００３２】
要求コマンドは動作を要求するためのコマンドである。応答コマンドは要求コマンドに対する応答のコマンドであり、要求された動作を終了したら返送する。ＡＣＫはコマンドを正常に受信したことを送信側に通知するためのフレームである。
【００３３】
図３の（３−１）はホスト端末４００が映像処理部２００に動作を要求する場合のシーケンスを示す。映像処理部２００がホスト端末４００から要求コマンドを受信した場合、映像処理部２００は要求されたコマンドを実行し、実行が終了したらホスト端末に応答コマンドを送信する。
【００３４】
（３−２）はホスト端末４００がカメラ部に動作を要求する場合のシーケンスである。映像処理部２００はホスト端末４００からのコマンドがカメラ部宛てのコマンドならコマンドをカメラ部１４０，１５０の１つに転送する。カメラ部１４０，１５０の１つからのコマンドがホスト端末４００宛ならばコマンドをホスト端末４００に転送する。
【００３５】
（３−３）は映像処理部がカメラ部に動作を要求する場合のシーケンスである。
【００３６】
図４にコマンドのフォーマットを示す。
【００３７】
（４−１）はコマンドフレームのフォーマットを示す。Ｌはフレーム長で何バイトのデータでフレームが構成されるかを示す。ＦＩＤはフレーム識別子であり、フレームの属性を識別するために用いる。ＣＩＤはコマンド識別子であり、コマンドの種類を識別する。パラメータはコマンドに応じて決まる。
【００３８】
（４−２）はＡＣＫフレームのフォーマットである。レングス（Ｌ）は２バイト固定である。フレーム識別子（ＦＩＤ）は８０ｈ固定である。パラメータ部が００ｈの場合はフレームを正常に受信したことを示し、００ｈ以外の時はエラーが発生したことを示す。パラメータの値によりエラーの要因を識別する。
【００３９】
（４−３）はフレーム識別子（ＦＩＤ）のビット構成を示す説明図である。ｂｉｔ７はフレームがコマンドフレームかＡＣＫフレームかを識別するビットである。Ｂｉｔ２、３は宛先デバイス指定ビットであり、コマンドの宛先を指定するためのビットである。ｂｉｔ０、１は発行元指定ビットでコマンドの発行元を指定するビットである。
【００４０】
（４−４）はコマンド識別子（ＣＩＤ）のビット構成を示す説明図である。ｂｉｔ７は応答コマンドの場合有効なビットで要求コマンドで指示された機能が正常に終了した場合は０、正常に終了できなかった場合は１をセットする。このビットによって否定応答と肯定応答を区別する。ｂｉｔ６−ｂｉｔ０はコマンド種別ビットでコマンドの種類を特定する。
【００４１】
図５は、ホスト端末４００と映像処理部２００間で通信される、ホスト端末４００がカメラ属性パラメータを取得するための初期化コマンドのフォーマットを示す説明図である。
【００４２】
（５−１）はホスト端末４００から映像処理部２００に送信されるホスト端末４００がカメラ属性パラメータを取得するための初期化要求コマンドのフォーマットである。
【００４３】
（５−２）は映像処理部２００からホスト端末４００に送信されるホスト端末４００がカメラ属性パラメータを取得するための初期化応答コマンドのフォーマットである。
【００４４】
（５−３）はホスト端末４００がカメラ属性パラメータを取得するための初期化応答コマンドのパラメータ１、２のカメラ属性パラメータの内容を示す。カメラの属性とパラメータ値は表で示す対応がある。本実施例では４種類のカメラが接続可能である。
【００４５】
図６は、映像処理部２００とカメラ部分１００間で通信されるカメラ属性コマンドのフォーマットを示す説明図である。
【００４６】
（６−１）は映像処理部２００からカメラ部分１００に送信されるカメラ属性要求コマンドのフォーマットである。
【００４７】
（６−２）はカメラ部分１００から映像処理部２００に送信されるカメラ属性応答コマンドのフォーマットである。パラメータ１のカメラ属性は前記説明の（５−３）のカメラ属性パラメータである。
【００４８】
図７は、ホスト端末４００と映像処理部２００間で通信されるポート切換コマンドのフォーマットを示す説明図である。
【００４９】
（７−１）はホスト端末４００から映像処理部２００に送信されるポート切換要求コマンドのフォーマットである。
【００５０】
（７−２）は映像処理部２００からホスト端末４００に送信されるポート切換応答コマンド（肯定応答）のフォーマットである。
【００５１】
（７−３）は映像処理部２００からホスト端末４００に送信されるポート切換応答コマンド（否定応答）のフォーマットである。
【００５２】
図８は、ホスト端末４００がカメラ属性パラメータを取得するための初期化のコマンドシーケンスを示す説明図である。
【００５３】
本シーケンスはポート１（２３３）に単焦点の２０万画素ＣＣＤカメラ１４０、ポート２（２３４）にズームの４０万画素ＣＣＤカメラ１５０が接続されている場合である。
【００５４】
ホスト端末４００から映像処理部２００にホスト端末４００がカメラ属性パラメータを取得するための初期化要求コマンドが送信される。映像処理部２００はカメラ切換えスイッチ２３０をポート１（２３３）に切り替えて、カメラ属性要求コマンドを送信する。カメラ属性要求コマンドを受信した単焦点の２０万画素カメラ部１４０は、カメラ属性応答を映像処理部２００に送信する。映像処理部２００はカメラ切換えスイッチ２３０をポート２（２３４）に切り替えて、カメラ属性要求コマンドを送信する。カメラ属性要求コマンドを受信したズームの４０万画素カメラ部１５０は、カメラ属性応答を映像処理部２００に送信する。そして、画像処理部２００は上記の２台のカメラのカメラ属性応答をホスト端末４００に送信する。
【００５５】
図９は、映像処理部２００がホスト端末４００からカメラ属性パラメータを取得するための初期化要求コマンドを受信した時のシステム制御部２５０の動作を示すフローチャートである。
【００５６】
ステップＳ１でカメラ切換えスイッチ２３０をポート１（２３３）に切り替える。Ｓ２で信号線２１５に映像同期信号があるかをチェックする。映像同期信号がなければポート１（２３３）にはカメラが接続されていないので、ポート１（２３３）にはカメラが接続されていないと記憶し、Ｓ４へ進む。
【００５７】
Ｓ２で映像同期信号があればカメラ部が接続されていることがわかるのでＳ３へ進む。
【００５８】
そしてＳ３ではカメラ部１４０にカメラ属性要求コマンドを送信し、カメラ部１４０から返送されるカメラ属性応答コマンドのカメラ属性パラメータを読み出し、ポート１（２３３）のカメラとして記憶する。
【００５９】
Ｓ４でカメラ切換えスイッチ２３０をポート２（２３４）に切り替える。Ｓ５で信号線２１５に映像同期信号があるかをチェックする。映像同期信号がなければポート２（２３４）にはカメラが接続されていないので、ポート２（２３４）にはカメラが接続されていないと記憶し、Ｓ７へ進む。
【００６０】
Ｓ５で映像同期信号があればカメラ部が接続されていることがわかるのでＳ６へ進む。
【００６１】
そしてＳ６ではカメラ部１５０にカメラ属性要求コマンドを送信し、カメラ部１５０から返送されるカメラ属性応答コマンドのカメラ属性パラメータを読み出し、ポート２（２３４）のカメラとして記憶する。Ｓ７ではポート１（２３３）、ポート２（２３４）のカメラ属性パラメータを付加した、カメラ属性パラメータを取得するための初期化応答コマンドをホスト端末４００に送信する。
【００６２】
図１０は、映像処理部２００がホスト端末４００からポート切り替え要求コマンドを受信した時のシステム制御部２５０の動作を示すフローチャートである。
【００６３】
ステップＳ２１でポート切換要求コマンドのパラメータ１のポート番号を解析する。Ｓ２２でポート番号パラメータが“１”ならばＳ２３へ、“２”ならばＳ２９へ進む。そしてポート１（２３３）またはポート２（２３４）のカメラ属性をチェックし、Ｓ２４またはＳ３０に進む。
【００６４】
Ｓ２４でホスト端末４００がカメラ属性パラメータを取得する初期化時に記憶したポート１のカメラ属性をチェックする。Ｓ２４で接続されていなかったらＳ２８に進んでホスト端末４００にポート切換応答（否定）を送信する。
【００６５】
Ｓ２４でポート１にカメラが接続されていたらＳ２５へ進み、そしてＳ２５ではカメラ切換えスイッチ２３０をポート１に切り替える。Ｓ２６で信号処理回路２０２をカメラ属性に応じて（２０万ＣＣＤ、または４０万ＣＣＤモード）信号処理回路２０２にパラメータを設定する初期化を行う。そしてＳ２７でホスト端末４００にポート切換応答（肯定）を送信する。
【００６６】
Ｓ２９では、ホスト端末４００がカメラ属性パラメータを取得する初期化時に記憶したポート２（２３４）のカメラ属性をチェックする。Ｓ３０でポート２にカメラが接続されていたらＳ３１へ進み、接続されていなかったらＳ３３に進んでホスト端末４００にポート切換応答（否定）を送信する。Ｓ３１ではスイッチ２３０をポート２（２３４）に切り替える。Ｓ３２で信号処理回路２０２をカメラ属性に応じて（２０万ＣＣＤ、または４０万ＣＣＤモード）信号処理回路２０２にパラメータを設定する初期化を行う。そしてＳ２７でホスト端末４００にポート切替（肯定）を送信する。
【００６７】
（他の実施例）
本発明の他の実施例においては、図１に示す映像処理部２００のシステム制御部２５０がポート１（２３３）、ポート２（２３４）のカメラ属性を記憶し、ポート切換時にカメラ属性に応じて、信号処理回路２０２の設定を行う。
【００６８】
上記機能をホスト端末４００に持たせても良い。即ち、ホスト端末４００がカメラ属性パラメータを取得する初期化時にホスト端末４００で各ポートに対するカメラ属性を記憶して、ポート切換要求コマンド発行時に、切換ポートの指定と、カメラ属性に応じた信号処理回路２０２の設定（２０万画素、または４０万画素）の指定を行っても良い。
【００６９】
【発明の効果】
上記説明のように、本発明によれば、遠隔の外部装置からでも所望のタイミングでカメラの接続状態及び性能属性の情報を更新することができ、ポート選択を行うことのみで選択されたポートのカメラ部に対応したパラメータを映像処理手段に対して自動設定できるので、カメラ部の変更に起因する設定作業の手間を大幅に削減できる。
【図面の簡単な説明】
【図１】一実施例の構成を示すブロック図である。
【図２】一実施例の映像処理部が有するシステム制御部の構成を示すブロック図である。
【図３】一実施例の制御コマンドのシーケンス説明図である。
【図４】一実施例のコマンドフレームの構成を示す説明図である。
【図５】一実施例のホスト端末４００がカメラ属性パラメータを取得する初期化コマンドの構成を示す説明図である。
【図６】一実施例のカメラ属性コマンドの構成を示す説明図である。
【図７】一実施例のポート切換コマンドの構成を示す説明図である。
【図８】一実施例のホスト端末４００がカメラ属性パラメータを取得する初期化のコマンドシーケンスを示す説明図である。
【図９】一実施例のホスト端末４００がカメラ属性パラメータを取得する初期化要求コマンドを受信した映像処理部のシステム制御部の動作を示すフローチャートである。
【図１０】一実施例のポート切換要求コマンドを受信した映像処理部のシステム制御部の動作を示すフローチャートである。
【図１１】従来の映像入力装置例の構成を示すブロック図である。
【符号の説明】
１００  カメラ部分
１０１  レンズ部（単焦点）
１０２  アイリス部（手動）
１０３  撮像素子（２０万画素）
１０４  Ｓ／Ｈ・ＡＧＣ回路
１０５  撮像素子駆動回路
１０６  システム制御部
１０７  コネクタ
１０９  ケーブル
１１０  撮像素子駆動回路制御線
１１１  Ｓ／Ｈ・ＡＧＣ制御線
１１２  映像同期信号
１１３  データ線
１１４  撮像信号
１２１  レンズ部（電動ズーム）
１２２  アイリス部（電動）
１２３  撮像素子（４０万画素）
１４０  カメラ部（２０万画素、単焦点レンズ）
１５０  カメラ部（４０万画素、ズームレンズ）
２００  映像処理部
２０１  ＡＤ変換器
２０２  信号処理回路
２０３  切り替えスイッチ
２０４  エンコーダ回路
２０５  メモリコントローラ
２０６  メモリ
２０７  スキャンレートコンバータ
２０８  ＢＵＳｉ／ｆ
２１０  映像出力端子
２１１  コネクタ
２１２  メモリ制御信号
２１３  デジタル映像信号
２１４  デジタル映像信号
２１５  映像同期信号
２１６  デジタル映像信号
２１７  撮像信号（アナログ）
２１８  撮像信号（デジタル）
２１９  デジタル映像信号
２２１  コンポジット出力信号
２２２  データ線
２２３  信号処理回路信号
２２４  切り替えスイッチ制御信号
２２５  デジタル映像信号
２２６  データ線
２３０  カメラ切換えスイッチ
２３１  コネクタ（ポート１）
２３２  コネクタ（ポート２）
２３３  カメラポート１
２３４  カメラポート２
２５０  システム制御部
４００  ホスト端末
【図１】
0003554107.tif 000002
【図２】
0003554107.tif 000003
【図３】
0003554107.tif 000004
【図４】
0003554107.tif 000005
【図５】
0003554107.tif 000006
【図６】
0003554107.tif 000007
【図７】
0003554107.tif 000008
【図８】
0003554107.tif 000009
【図９】
0003554107.tif 000010
【図１０】
0003554107.tif 000011
【図１１】
0003554107.tif 000012